(57)【要約】 【課題】  簡便に階調数を増加させる液晶表示装置を提供する。【解決手段】  表示画像に基づいた所定階調値にするパルス幅変調が行われたデータ信号をデータ線２２０に出力するデータ線ドライバ４２０と、表示画像に基づいて所定階調値にするデータ信号の電圧を算出するとともに記憶する電圧レベル制御部５００と、データ信号の電圧をシフトさせる電圧シフト回路６００と、を備える。パルス幅変調と電圧シフトとにより高階調の表示を実現する。【選択図】  図１
2006085023.tif 000002
【特許請求の範囲】
【請求項１】
各行に配線された走査線および各列に配線されたデータ線を有する表示パネルと、
前記表示パネルの表示面に表示する表示画像のデータを出力する表示画像データ出力部と、
前記表示画像を表示するのに順次駆動される行に応じた走査線を順次選択する走査信号を出力する走査線ドライバと、
前記走査線ドライバにて選択された走査線上の画素を前記表示画像に基づいた所定階調値にするパルス幅変調が行われたデータ信号を前記画素に連結されたデータ線に出力するデータ線ドライバと、
前記データ線ドライバから出力されて前記画素の階調値を制御する前記データ信号の電圧を前記表示画像に基づいてシフトさせる電圧制御手段と、を備える
ことを特徴とする表示装置。
【請求項２】
請求項１に記載の表示装置において
前記電圧制御手段は、各画素の階調値を前記表示画像に基づいた値にする電圧レベルを算出する電圧レベル計算部と、
前記走査線ドライバにより選択された走査線を認識する選択走査線認識部と、
前記電圧レベル計算部で画素ごとに算出された電圧レベルの情報を列ごとに順次記憶するとともに前記選択走査線認識部にて認識された走査線に対応して前記電圧レベルの情報を順次出力する電圧レベル記憶部と、
前記電圧レベル記憶部から出力される前記電圧レベルの情報に基づいて前記データ信号の電圧レベルをシフトさせる電圧シフト部と、を備える
ことを特徴とする表示装置。
【請求項３】
請求項１または請求項２に記載の表示装置を備えた電子機器。
【請求項４】
各行に配線された走査線および各列に配線されたデータ線を有する表示パネルを有する表示装置の駆動方法であって、
前記表示パネルの表示面に表示する表示画像のデータを出力する表示画像データ出力工程と、
前記表示画像を表示するのに順次駆動される行に応じた走査線を順次選択する走査信号を出力する走査信号出力工程と、
前記走査信号出力工程にて出力される前記走査信号により選択された走査線上の画素を前記表示画像に基づいた所定階調値にするパルス幅変調が行われたデータ信号を前記画素に連結したデータ線に出力するデータ信号出力工程と、
前記データ信号出力工程において出力されて前記画素の階調値を制御する前記データ信号の電圧を前記表示画像に基づいてシフトさせる電圧制御工程と、を備える
ことを特徴とする表示装置の駆動方法。
【発明の詳細な説明】
【技術分野】
【０００１】
本発明は、表示装置、電子機器および表示装置の駆動方法に関し、例えば液晶表示装置に代表される表示装置の階調値を制御する発明に関する。
【背景技術】
【０００２】
スイッチング素子として薄膜二端子素子（ＴＦＤ）を用いた液晶表示装置が知られ、各画素の階調制御をパルス幅変調によって行う液晶表示装置が知られている（特許文献１）。
従来、このような液晶表示装置８００は、図４に示されるように、液晶パネル８１０と、駆動部８２０と、を備えている。
液晶パネル８１０は、表示面上の画素に配置された液晶セル（不図示）と、各液晶セルに設けられたスイッチング素子としての薄膜二端子素子（不図示）と、液晶パネルの各行に配線された複数の走査線８１１と、液晶パネル８１０の各列に配線された複数のデータ線８１２と、を備える。なお、画素の横方向のならびを「行」と称し、画素の縦方向のならびを「列」と称する。
駆動部８２０は、複数の走査線８１１のうちから駆動すべき画素の行に応じた走査線８１１を順次選択する走査信号を出力する走査線ドライバ８２１と、走査線ドライバ８１１にて選択された走査線８１１上の画素のデータ信号をこの画素に連結したデータ線８１２に出力するデータ線ドライバ８２２と、を備える。
【０００３】
この構成において、各画素の階調を表示画像に応じて制御するにあたっては、次のように行われる。
図５（Ａ）は走査線ドライバ８２１から出力される走査信号の例であり、図５（Ｂ）はデータ線ドライバ８２２から出力されるデータ信号の例であり、図５（Ｃ）は走査信号とデータ信号との合成信号の例である。
まず、走査線ドライバ８２１から駆動制御対象とする行の走査線８１１を選択する走査信号が出力される（図５（Ａ）参照）。すると、走査線８１１が選択される。
そして、データ線ドライバ８２２から各データ線８１２に対して走査線８１１上の各画素に表示画像に対応した階調の表示を行わせるデータ信号が出力される。このデータ信号は、画素の階調に応じたパルス幅変調が行われた信号である。すると、走査線８１１とデータ線８１２との交点に位置する画素の薄膜二端子素子（ＴＦＤ）に走査信号とデータ信号との合成信号が印加される。
表示画像を表示するように走査信号による走査線８１１の選択と、データ信号による階調制御とが順次行われると、表示画像が液晶パネルに表示される。
【０００４】
【特許文献１】特開平９−２６９４７７号公報
【発明の開示】
【発明が解決しようとする課題】
【０００５】
しかしながら、データ信号をパルス幅変調することによって画素の階調値を制御する場合、階調数が増すごとにドライバの制御ビット数または回路が膨大になるという問題がある。例えば、階調数がますごとにカウンタの増加やドライバの制御ビット増加等の問題がある。そのため、階調数は制限されており、簡単には増やせないという問題がある。
【０００６】
本発明の目的は、簡便に階調数を増加させる表示装置、電子機器および表示装置の駆動方法を提供することにある。
【課題を解決するための手段】
【０００７】
本発明の表示装置は、各行に配線された走査線および各列に配線されたデータ線を有する表示パネルと、前記表示パネルの表示面に表示する表示画像のデータを出力する表示画像データ出力部と、前記表示画像を表示するのに順次駆動される行に応じた走査線を順次選択する走査信号を出力する走査線ドライバと、前記走査線ドライバにて選択された走査線上の画素を前記表示画像に基づいた所定階調値にするパルス幅変調が行われたデータ信号を前記画素に連結されたデータ線に出力するデータ線ドライバと、前記データ線ドライバから出力されて前記画素の階調値を制御する前記データ信号の電圧を前記表示画像に基づいてシフトさせる電圧制御手段と、を備えることを特徴とする。
【０００８】
このような構成において、走査ドライバから出力される走査信号により、駆動されるべき画素の行が順次選択されて、その行の画素がＯＮ状態になる。そして、各列に配線されたデータ線に所定のデータ信号が印加されると、走査線とデータ線との交点の画素が印加された信号の電力に応じた階調値を示す。
【０００９】
このとき、データ線ドライバからはパルス幅変調されたデータ信号が出力され、このパルス幅変調されたデータ信号の電圧が電圧制御手段によってシフトされる。例えば、電圧制御手段における電圧シフトにより、データ信号の電圧の絶対値が小さくまたは大きくされる。すると、各画素に印加される電力はパルス幅変調と電圧レベルシフトとの二つの方法により制御される。よって、パルス幅変調のみにより実現できる階調値に加えて、電圧レベルのシフトによる階調制御が行われる。例えば、電圧レベルを段階的に３つにすると、パルス幅変調での階調数（例えば６４階調）に電圧レベルシフトによる階調の変化が加わって、６４×３で１９２階調が実現される。
【００１０】
パルス幅変調のみで階調値を増加させようとすると回路構成が非常に複雑になるので、簡単には階調数を増やすことができないが、電圧レベルを変化させることを組み合わせることにより、階調数を飛躍的に増加させることができる。さらに、パルス幅変調の機能を備えた従来の表示装置に対して、電圧レベルを変化させる手段（電圧制御手段）を付加すればよいので、従来の表示装置を簡便かつ安価に高階調表示可能な表示装置とすることができる。
【００１１】
表示パネルとしては、画素に液晶セルとスイッチング素子とが配置されて構成される液晶パネルの他、例えば、有機あるいは無機ＥＬを用いたＥＬパネル（ディスプレイ）であってもよい。
スイッチング素子としては、薄膜二端子素子（ＴＦＤ：Thin Film Diode）が例として挙げられるほか、薄膜トランジスタ（ＴＦＴ：Thin Film Transistor）などでもよい。
【００１２】
本発明では、前記電圧制御手段は、各画素の階調値を前記表示画像に基づいた値にする電圧レベルを算出する電圧レベル計算部と、前記走査線ドライバにより選択された走査線を認識する選択走査線認識部と、前記電圧レベル計算部で画素ごとに算出された電圧レベルの情報を列ごとに順次記憶するとともに前記選択走査線認識部にて認識された走査線に対応して前記電圧レベルの情報を順次出力する電圧レベル記憶部と、前記電圧レベル記憶部から出力される前記電圧レベルの情報に基づいて前記データ信号の電圧レベルをシフトさせる電圧シフト部と、を備えることが好ましい。
【００１３】
このような構成において、各画素の階調値を表示画像にするための電圧レベルが電圧レベル計算部により計算され、この計算された電圧レベルの情報が、表示パネルの列ごとに順次電圧レベル記憶部に記憶されていく。
走査ドライバにより選択された走査線が選択走査線認識部で認識されて、この認識に基づいて、選択された走査線に応じた各列の電圧レベルの情報が電圧レベル記憶部から出力される。
そして、データ線ドライバから出力されるデータ信号は電圧シフト部により電圧レベルのシフトを受ける。すなわち、電圧レベル記憶部から出力される電圧レベル情報に基づいてデータ信号の電圧レベルがシフトされる。このように、データ線ドライバでパルス幅変調され、さらに、電圧制御手段により電圧レベルのシフトを受けたデータ信号がデータ線に印加され、所定の画素が駆動される。すると、パルス幅変調と電圧レベルシフトとを受けたデータ信号により画素の階調が高階調表現される。
【００１４】
選択走査線認識部により走査ドライバにより選択される走査線を認識しつつ電圧レベル記憶部から電圧レベルの情報を出力するので、選択された走査線とデータ線の電圧レベルシフトとを確実に同期させることができ、高精度な表示制御が可能となる。
【００１５】
本発明の電子機器は、前記表示装置を備えることを特徴とする。
この構成によれば、前記発明と同様の作用効果を奏する電子機器とすることができる。このような電子機器としては、液晶表示部を有する携帯電話機などが例として挙げられる。
【００１６】
本発明の表示装置の駆動方法は、各行に配線された走査線および各列に配線されたデータ線を有する表示パネルを有する表示装置の駆動方法であって、前記表示パネルの表示面に表示する表示画像のデータを出力する表示画像データ出力工程と、前記表示画像を表示するのに順次駆動される画素の行に応じた走査線を順次選択する走査信号を出力する走査信号出力工程と、前記走査信号出力工程にて出力される前記走査信号により選択された走査線上の画素を前記表示画像に基づいた所定階調値にするパルス幅変調が行われたデータ信号を前記画素に連結したデータ線に出力するデータ信号出力工程と、前記データ信号出力工程において出力されて前記画素の階調値を制御する前記データ信号の電圧を前記表示画像に基づいてシフトさせる電圧制御工程と、を備えることを特徴とする。
【００１７】
この構成によれば、前記の発明と同様の作用効果を奏することができる。すなわち、パルス幅変調に加えて、電圧レベルの変化を組み合わせることにより、階調数を飛躍的に増加させることができる。さらに、パルス幅変調の機能を備えた従来の液晶表示装置の駆動方法に対して、電圧レベルを変化させる工程（電圧制御工程）を付加すればよいので、簡便かつ安価に高階調表示可能な表示装置の駆動方法を実現することができる。
【発明を実施するための最良の形態】
【００１８】
以下、本発明の実施の形態を図示するとともに図中の各要素に付した符号を参照して説明する。
（第１実施形態）
本発明の表示装置に係る第１実施形態について説明する。
図１は液晶表示装置の全体ブロック図であり、図２は電圧シフト回路の構成を示す図であり、図３は走査信号、データ信号および合成波形のタイミングチャートである。
【００１９】
液晶表示装置１００は、液晶パネル２００と、表示画像データ出力部３００と、駆動部４００と、電圧レベル制御部５００と、電圧シフト回路（電圧シフト部）６００と、を備えて構成されている。
【００２０】
液晶パネル（表示パネル）２００は、複数の液晶画素によって構成されており、各液晶画素は液晶セル（不図示）と、この液晶セルのスイッチング素子としての薄膜二端子素子（不図示）と、を備えて構成されている。
そして、液晶パネル２００は、各行に配線された複数の走査線２１０と、各列に配線された複数のデータ線２２０と、を備える。走査線２１０とデータ線２２０の交点に各画素が対応して位置し、各画素の薄膜二端子素子（ＴＦＤ）は走査線２１０およびデータ線２２０の両方に接続されている。
【００２１】
表示画像データ出力部３００は、液晶パネル２００に表示する画像のデータを駆動部４００および電圧レベル制御部５００に出力する（表示画像データ出力工程）。
駆動部４００は、走査線ドライバ４１０と、データ線ドライバ４２０と、を備える。
走査線ドライバ４１０は、複数の走査線２１０のうちから駆動すべき画素の行に応じた走査線２１０を順次選択する走査信号を出力する（走査信号出力工程）。例えば、ある走査線２１０に走査線ドライバ４１０から出力される走査信号の例を図３（Ａ）に示す。図３（Ａ）中、ＯＮ電位（Ｖｃ、−Ｖｃ）の電圧が印加されている時間が、この走査線２１０が選択されている時間である。
【００２２】
データ線ドライバ４２０は、各画素の階調値を表示画像に基づいた所定階調値にするデータ信号をデータ線２２０に出力する（データ信号出力工程）。走査線ドライバ４１０によって走査線２１０が選択されてＯＮ状態になっているところ、データ線ドライバ４２０は、このＯＮ状態になっている走査線２１０上の各画素に対してデータ線２２０を介してデータ信号を印加し、各画素の階調値を制御する。このとき、データ線ドライバ４２０は、各画素の階調値が表示画像に応じた階調値になるようにパルス幅変調を施したデータ信号をデータ線２２０に出力する。例えば、あるデータ線２２０にデータ線ドライバ４２０から出力されるデータ線２２０の例を図３（Ｂ）に示す。
例えば、データ線ドライバ４２０は、各画素の階調数を６４階調に制御するパルス幅変調を施したデータ信号を出力する。
【００２３】
電圧レベル制御部５００は、電圧レベル計算部５１０と、選択走査線認識部５２０と、電圧レベルバッファ（電圧レベル記憶部）５３０と、を備えて構成されている。
電圧レベル計算部５１０は、各画素の階調値を表示画像に基づいた値にする電圧レベルを各画素について計算する（電圧レベル計算工程）。なお、データ線ドライバ４２０においてデータ信号のパルス幅変調が行われるところ、電圧レベル計算部５１０は、データ線ドライバ４２０におけるデータ信号のパルス幅変調と合成されたときに表示画像を適切に実現するためのデータ信号の電圧レベルを算出する。
そして、電圧レベル計算部５１０は、電圧シフト回路６００においてデータ信号の電圧レベルを計算によって算出された電圧レベルにシフトさせるための制御情報を電圧レベルバッファ５３０に出力する。例えば、電圧レベル計算部５１０は、データ線ドライバ４２０においてパルス幅変調（６４階調）されるデータ信号に対して、３段階の電圧レベルシフトを行って各画素の階調値を１９２（＝６４×３）階調にするような電圧値を算出する。
【００２４】
選択走査線認識部５２０は、走査線ドライバ４１０から出力される走査信号を読み込んで、走査信号により選択されてＯＮ状態になる走査線を認識する（選択走査線認識工程）。
電圧レベルバッファ５３０は、液晶パネル２００の列ごと、すなわち、個々のデータ線２２０に対応して設けられている。各電圧レベルバッファ５３０は、電圧レベル計算部５１０で算出された電圧レベルを列ごとに順次記憶し（電圧レベル記憶工程）、液晶パネル２００に表示されている表示画像に先行して電圧レベルの情報を記憶して蓄積している。このとき、電圧レベルバッファ５３０は、データ信号の電圧レベルを電圧シフト回路６００でシフトさせる制御情報である電圧レベル情報を記憶する。
【００２５】
電圧シフト回路６００は、個々のデータ線２２０ごとに設けられ、データ線ドライバ４２０から出力されたデータ信号の電圧レベルを電圧レベルバッファ５３０から出力される電圧レベル情報によりシフトさせる（電圧シフト工程）。
電圧シフト回路６００は、図２に示されるように、データ信号の電圧を降下させる抵抗として直列に接続された抵抗Ｒ１および抵抗Ｒ２と、信号の経路を選択するスイッチＳ０、スイッチＳ１およびスイッチＳ２と、を備える。
スイッチＳ０は、データ線ドライバ４２０からの線２２１と液晶パネル２００に向かう線２２２とが抵抗を通らずに連絡するルートに設けられている。スイッチＳ１は、データ線ドライバ４２０からの線２２１が抵抗Ｒ１を通って液晶パネル２００に向かうルートに設けられている。スイッチＳ２は、データ線ドライバ４２０からの線２２１が抵抗Ｒ１および抵抗Ｒ２を通って液晶パネル２００に向かう線２２２に設けられている。
【００２６】
そして、各スイッチＳ０、Ｓ１、Ｓ２は、電圧レベル制御部５００（具体的には各電圧レベルバッファ５３０）からの電圧レベル情報によりスイッチのＯＮ、ＯＦＦ制御される。つまり、データ信号の電圧レベルをそのままで下げない場合には、スイッチＳ０のみをＯＮにし、データ信号の電圧レベルを一段階下げる場合には、スイッチＳ１のみをＯＮにし、データ信号の電圧レベルを２段階下げる場合には、スイッチＳ２のみをＯＮにする。すると、データ線ドライバ４２０から出力されたデータ信号（図３（Ｂ）参照）の電圧レベルが、図３（Ｃ）に示されるように所定の電圧レベルシフトされた信号となって電圧シフト回路６００から出力されて液晶パネル２００のデータ線２２０に出力される。
【００２７】
ここで、電圧レベル制御部５００と電圧シフト回路６００とにより、電圧制御手段が構成されている。
そして、電圧レベル計算部５１０における電圧レベル計算工程と、電圧レベルバッファ５３０における電圧レベル記憶工程と、電圧シフト回路６００における電圧シフト工程と、により電圧制御工程が構成されている。
【００２８】
このような構成を備える第１実施形態の動作について説明する。
まず、表示画像データ出力部３００から液晶パネル２００で表示する画像データが駆動部４００および電圧レベル計算部５１０に出力される。
表示画像データ出力部３００から画像データが電圧レベル計算部５１０に出力されると、電圧レベル計算部５１０において、表示画像に基づいた所定階調値で各画素を駆動するための電圧レベルが画素ごとに算出される。
そして、電圧シフト回路６００のスイッチングによってデータ信号の電圧レベルを算出された電圧レベルにするための制御情報（電圧レベル情報）が生成される。
この電圧レベル情報は列ごとに電圧レベルバッファ５３０に順次出力されて、電圧レベルバッファ５３０に順次記憶される。
【００２９】
表示画像データ出力部３００から駆動部４００に画像データが出力されると、走査線ドライバ４１０から走査線２１０を順次選択してＯＮ状態にする走査信号が出力され（図３（Ａ）参照）、同時に、データ線ドライバ４２０から各画素の階調を画像データに基づく所定値にするようにパルス幅変調されたデータ信号が出力される（図３（Ｂ）参照）。
このデータ信号は、各データ線２２０に設けられた電圧シフト回路６００に出力される。
走査線ドライバ４１０から出力された走査信号は、液晶パネル２００の所定行の画素をＯＮ状態にするとともに、選択走査線認識部５２０に入力される。
走査信号からどの走査線２１０が選択されてＯＮ状態になるかが選択走査線認識部５２０で認識されて、走査信号にて選択される走査線２１０についての情報が各電圧レベルバッファ５３０に出力される。
【００３０】
各電圧レベルバッファ５３０からは、選択される走査線２１０に同期して電圧レベル情報が電圧シフト回路６００に出力される。
データ線ドライバ４２０からのデータ信号が電圧シフト回路６００に出力されているところ、電圧レベルバッファ５３０からの電圧レベル情報によってスイッチＳ０、Ｓ１、Ｓ２がＯＮ／ＯＦＦ制御され、データ信号の電圧レベルがシフトされる（図３（Ｃ）参照）。
そして、走査線２１０を選択する走査信号（図３（Ａ）参照）と電圧シフト回路６００にて電圧シフトされたデータ信号（図３（Ｃ）参照）とが合成された信号が走査線２１０とデータ線２２０との交点の画素に印加される。これにより、画像データに基づいた階調値で各画素が駆動される。
【００３１】
このような構成を備える第１実施形態によれば、次の効果を奏することができる。
（１）データ線ドライバ４２０によるデータ信号のパルス幅変調に加えて、このパルス幅変調されたデータ信号の電圧を電圧シフト回路６００によりシフトするので、パルス幅変調のみにより実現できる階調値に加えて、電圧レベルのシフトによる階調制御を行うことができる。例えば、電圧レベルを段階的に３つにすると、パルス幅変調での階調値（例えば６４階調）に電圧レベルシフトによるシフトが加わって、６４×３で１９２階調を実現することができるなど、簡便に高階調にすることができる。
【００３２】
（２）データ線ドライバ４２０におけるパルス幅変調のみで階調値を増加させようとするとデータ線ドライバ４２０の回路構成が非常に複雑になるので、簡単には階調数を増やすことができないが、電圧レベル制御部５００および電圧シフト回路６００でデータ信号の電圧レベルを変化させることを組み合わせることにより、階調数を飛躍的に増加させることができる。さらに、パルス幅変調の機能を備えた従来の液晶表示装置（例えば、図４の液晶表示装置８００）に対して、電圧レベルを変化させる手段（電圧レベル制御部５００、電圧シフト回路６００）を付加すればよいので、従来の液晶表示装置を簡便かつ安価に高階調表示可能な液晶表示装置１００とすることができる。
【００３３】
（３）選択走査線認識部５２０により走査線ドライバ４１０により選択される走査線２１０を認識しつつ電圧レベルバッファから電圧レベルの情報を出力するので、選択された走査線２１０とデータ線２２０の電圧レベルシフトとを確実に同期させることができ、高精度な表示制御が可能となる。
【００３４】
なお、本発明は前述の実施形態に限定されず、本発明の目的を達成できる範囲での変形、改良等は本発明に含まれる。
データ信号の電圧を３段階（Ｖ０、Ｖ１、Ｖ２）でシフトさせる場合を例にして説明したが、データ信号の電圧をシフトさせる段階は、２段階でも、４段階以上であってもよいことはもちろんである。
選択走査線認識部５２０には、走査線ドライバ４２０から出力されて走査線２１０に印加される信号を延長して入力してもよく、あるいは、走査線ドライバ４２０から走査線２１０に出力すると同時に同じ信号を選択走査線認識部５２０に入力するようにしてもよい。
【００３５】
電圧レベル制御部５００としては、電圧レベル計算部５１０によりデータ信号の電圧レベルをシフトさせる量を表示画像に基づいて計算するとしたが、電圧レベル計算部５１０は、例えば、表示画像の色ごとに階調値を補正するための電圧レベルを記憶した補正テーブルを備えておいて、表示画像の色に応じて電圧レベル情報を電圧レベルバッファ５３０に出力するようにしてもよい。
例えば、液晶パネル２００の製品個体差等に起因して、表示画像データ出力部３００から出力される色の階調値と液晶パネルで表示される色の階調値が異なる場合があるところ、入力画像データの階調値と出力画像データの階調値とを一致させるように補正するデータ信号の電圧レベルを色ごとに予め記憶した補正テーブルを用意しておき、表示画像の色に応じて電圧レベル情報を電圧レベルバッファ５３０に出力するようにしてもよい。
【産業上の利用可能性】
【００３６】
本発明は、液晶ディスプレイパネルやＥＬディスプレイパネルなどの表示装置の階調制御に利用できる。
【図面の簡単な説明】
【００３７】
【図１】本発明の表示装置に係る第１実施形態の全体ブロック図。
【図２】前記第１実施形態において、電圧シフト回路の構成を示す図。
【図３】前記第１実施形態において、（Ａ）走査信号の例、（Ｂ）データ線ドライバから出力されるデータ信号の例、（Ｃ）電圧シフトされたデータ信号の例、（Ｄ）走査信号とデータ信号の合成の例、を示すタイミングチャート。
【図４】従来の液晶表示装置の構成を示す図。
【図５】（Ａ）走査ドライバから出力される走査信号の例、（Ｂ）データ線ドライバから出力されるデータ信号の例、（Ｃ）走査信号とデータ信号との合成信号の例、を示すタイミングチャート。
【符号の説明】
【００３８】
１００…液晶表示装置、２００…液晶パネル、２１０…走査線、２２０…データ線、３００…表示画像データ出力部、４００…駆動部、４１０…走査線ドライバ、４２０…データ線ドライバ、５００…電圧レベル制御部、５１０…電圧レベル計算部、５２０…選択走査線認識部、５３０…電圧レベルバッファ、６００…電圧シフト回路、８００…液晶表示装置、８１０…液晶パネル、８１１…走査線、８１１…走査線ドライバ、８１２…データ線、８２０…駆動部、８２１…走査線ドライバ、８２２…データ線ドライバ、Ｒ１…抵抗、Ｒ２…抵抗、Ｓ０…スイッチ、Ｓ１…スイッチ、Ｓ２…スイッチ。
【図１】
2006085023.tif 000003
【図２】
2006085023.tif 000004
【図３】
2006085023.tif 000005
【図４】
2006085023.tif 000006
【図５】
2006085023.tif 000007